(57)【要約】【課題】  デジタルプルーフの色調を確認する際に使用するカラーパッチを、デジタルプルーフの絵柄に基づいたカラーパッチとすることで、デジタルプルーフの色調を高精度で検証できるプルーフ生成装置を提供する。【解決手段】  ワークフローＲＩＰ１０に備えられたプルーフデータ生成部１２には、入稿データがラスタライズされたラスターデータが入力される。入力されたラスターデータの特徴色が画像特徴色演算回路１２ｂで演算され、カラーパッチ生成手段１２ｃは前記特徴色に基づいてカラーパッチを生成する。プルーフデータ生成手段１２ｄは、生成された前記カラーパッチと前記ラスターデータを合成することでプルーフデータを生成する。生成された前記プルーフデータは、出力先に合わせてカラーマッチングされた後、出力先に送信される。【選択図】      図２
2006129322.tif 000002
【特許請求の範囲】
【請求項１】
入力された画像情報にカラーパッチ情報を付加することで、デジタルプルーフのデジタル情報であるデジタルプルーフ情報を生成するプルーフ生成装置であって、前記画像情報が入力される画像情報入力手段と、前記画像情報入力手段に入力された前記画像情報の特徴となる色である画像特徴色を演算する画像特徴色演算手段と、前記画像特徴色演算手段で演算した前記画像特徴色に基づいて前記カラーパッチ情報を生成するカラーパッチ生成手段と、前記画像情報と前記カラーパッチ情報を合成することで前記デジタルプルーフ情報を生成するデジタルプルーフ情報生成手段とを備えたことを特徴とするプルーフ生成装置。
【請求項２】
請求項１に記載のプルーフ生成装置において、前記画像特徴色演算手段は、一つの前記画像情報を前記画像情報のサイズより小さい複数の領域に分割し、分割した各々の前記領域について、前記領域に含まれるすべての画素値の平均値を演算することで、各々の前記領域の前記画像特徴色を演算する手段であり、前記カラーパッチ生成手段は、各々の前記領域の前記画像特徴色を前記カラーパッチ情報とする手段であることを特徴とするプルーフ生成装置。
【請求項３】
請求項２に記載のプルーフ生成装置において、前記カラーパッチ情報は、前記画像情報内における前記領域の位置に対応して、前記領域の前記画像特徴色を並べたカラーパッチ情報であることを特徴とするプルーフ生成装置。
【請求項４】
請求項１に記載のプルーフ生成装置において、前記画像特徴色演算手段は、前記画像情報の解像度を下げる解像度変換処理を行うことで、前記画像特徴色を演算する手段であり、前記カラーパッチ生成手段は、解像度を下げた前記画像情報をカラーパッチ情報とする手段であることを特徴とするプルーフ生成装置。
【請求項５】
入力された画像情報にカラーパッチ情報を付加することで、デジタルプルーフのデジタル情報であるデジタルプルーフ情報を生成するプルーフ生成方法であって、前記画像情報が入力される画像入力工程と、画像入力工程で入力された前記画像情報の特徴となる色である画像特徴色を演算する特徴色演算工程と、前記特徴色演算工程で演算した前記画像特徴色に基づいて前記カラーパッチ情報を生成するカラーパッチ生成工程と、前記画像情報と前記カラーパッチ情報を合成することで前記デジタルプルーフ情報を生成するデジタルプルーフ情報生成工程とからなるプルーフ生成。
【請求項６】
請求項５に記載のプルーフ生成方法において、
前記特徴色演算工程は、一つの前記画像情報を前記画像情報のサイズより小さい複数の領域に分割し、分割した各々の前記領域について、前記領域に含まれるすべての画素値の平均値を演算することで、各々の前記領域の前記画像特徴色を演算する工程で、
前記カラーパッチ生成工程は、各々の前記領域の前記画像特徴色を前記カラーパッチ情報とする工程であることを特徴とするプルーフ生成方法。
【請求項７】
請求項６に記載のプルーフ生成方法において、前記カラーパッチ生成工程で生成する前記カラーパッチ情報は、前記画像情報内における前記領域の位置に対応して、前記領域の前記画像特徴色を並べたカラーパッチ情報であることを特徴とするプルーフ生成方法。
【請求項８】
請求項５に記載のプルーフ生成方法において、前記特徴色演算工程は、前記画像情報の解像度を下げる解像度変換処理を行うことで、前記画像特徴色を演算する工程で、前記カラーパッチ生成工程は、解像度を下げた前記画像情報をカラーパッチ情報とする工程であることを特徴とするプルーフ生成方法。
【請求項９】
請求項１から請求項４のいずれかに記載のプルーフ生成装置として、コンピュータを機能させるためのプログラム。
【請求項１０】
請求項３または請求項４に記載のカラーパッチ情報をデジタル出力することで生成されるカラーパッチ。
【請求項１１】
請求項１０に記載のカラーパッチが付加されていることを特徴とするデジタルプルーフ。
【発明の詳細な説明】
【技術分野】
【０００１】
本発明は、印刷見本となるデジタルプルーフのデジタル情報を生成するプルーフ生成装置、プルーフ生成方法およびプルーフ生成プログラムに関し、更に詳しくは、デジタルプルーフの色調を確認する際に使用されるカラーパッチを生成する機能を備えたプルーフ生成装置、プルーフ生成方法およびプルーフ生成プログラムに関する。
【背景技術】
【０００２】
従来、印刷仕上がりを確認するために作成される印刷見本は、平台校正機と呼ばれる印刷機で印刷されることが一般的であったが、近年のデジタル技術の急速な発展に伴い、デジタルプルーフ(Digital Proof)と呼ばれる印刷見本が普及しつつある。デジタルプルーフとは、印刷物のデジタル情報から直接印刷見本を作成するものの総称で、印刷機とは異なるデジタルデータ出力装置（例えば、レーザプリンターやディスプレイ）を用いて印刷見本を再現するものである。
【０００３】
印刷機（例えば、オフセット印刷機）とデジタルデータ出力装置とでは色再現特性が異なるので、カラーマネージメントシステムを用いて色補正を行い、デジタルプルーフの色調を実際の印刷物の色調に合わせる必要がある。カラーマネージメントシステムを用いて色補正を行う技術としては、デジタルデータ出力装置の色再現特性を記述したデバイスプロファイルを利用して色補正する技術が有名である（例えば、非特許文献１）。デジタルデータ出力装置の色再現特性を記述したデバイスプロファイルを作成する際は、デジタルデータ出力装置で出力したカラーチャート（例えば、非特許文献２）の分光光度を計測し、計測値を基にデバイスプロファイルが算出される。
【０００４】
しかし、前述したデバイスプロファイルを利用した色補正を行う技術を用いても、デジタルプルーフを出力するデジタルデータ出力装置ごとに、デジタルデータ出力装置の特性が経時変化することで、デジタルプルーフの色調が異なる場合があるため、実際にデジタルプルーフを出力した後に、デジタルプルーフの色調を確認する必要がある。デジタルプルーフの色調を確認する方法としては、絵柄の余白部にデジタルデータ出力装置の基本構成色（例えば、ＣＭＹＫの４色）のカラーパッチを出力し、デジタルデータ出力装置の機種差およ経時変化を確認する技術が開示されている（例えば、特許文献１）。
【非特許文献１】International Color Consortium Specification ICC.1:2003-09
【非特許文献２】ISO/DIS12642 (IT8.7/3)
【特許文献１】特開２００２−３６８９７９号公報
【発明の開示】
【発明が解決しようとする課題】
【０００５】
しかしながら、従来のカラーパッチはデジタルデータ出力装置またはデジタルプルーフの出力システムで事前に登録されており（例えば、ＣＭＹの３色を混合したグレーを９段階の階調にしたパターン）、事前に登録されたカラーパッチでは、デジタルプルーフの色調を高精度で確認することは困難な場合がある。
【０００６】
なぜなら、人間の色認識能力はデジタルプルーフの絵柄に大きく依存してしまうため、例えば前記絵柄が特定色に偏っていて前記特定色の面積が大きい場合には、事前に登録されたカラーパッチの差以上に、人間は大きな色差があると認識してしまう。
【０００７】
そこで本発明は、上述の問題を鑑みて、デジタルプルーフの色調を確認する際に使用するカラーパッチを、デジタルプルーフの絵柄に基づいたカラーパッチとすることで、デジタルプルーフの色調を高精度で検証できるプルーフ生成装置、プルーフ生成方法およびプルーフ生成プログラムを提供することを目的とする。
【課題を解決するための手段】
【０００８】
上述の問題を解決する第１の発明は、入力された画像情報にカラーパッチ情報を付加することで、デジタルプルーフのデジタル情報であるデジタルプルーフ情報を作成するプルーフ作成装置であって、前記画像情報が入力される画像情報入力手段と、前記画像情報入力手段に入力された前記画像情報の特徴となる色である画像特徴色を演算する画像特徴色演算手段と、前記画像特徴色演算手段で演算した前記画像特徴色に基づいて前記カラーパッチ情報を生成するカラーパッチ生成手段と、前記画像情報と前記カラーパッチ情報を合成することで前記デジタルプルーフ情報を生成するデジタルプルーフ情報生成手段とを備えたことを特徴とするプルーフ作成装置である。
【０００９】
第１の発明の作用によれば、前記画像情報の前記画像特徴色は前記画像特徴色演算手段で演算され、前記カラーパッチ生成手段によって、演算された前記画像特徴色に基づいたカラーパッチが生成されるため、前記デジタルプルーフに出力されるカラーパッチは、予めシステムに登録されているカラーパッチでなく、前記画像情報に基づいたカラーパッチとなる。
【００１０】
更に第２の発明は、第１の発明に記載したプルーフ生成装置において、前記画像特徴色演算手段は、一つの前記画像情報を前記画像情報のサイズより小さい複数の領域に分割し、分割した各々の前記領域について、前記領域に含まれるすべての画素値の平均値を演算することで、各々の前記領域の前記画像特徴色を演算する手段であり、前記カラーパッチ生成手段は、各々の前記領域の前記画像特徴色を前記カラーパッチ情報とする手段であることを特徴とするプルーフ生成装置である。なお、前記カラーパッチ情報は、前記画像情報内における前記領域の位置に対応して、前記領域の前記画像特徴色を並べたカラーパッチ情報であることが望ましい。
【００１１】
更に第３の発明は、第１の発明に記載したプルーフ生成装置であって、前記画像特徴色演算手段は、前記画像情報の解像度を下げる解像度変換処理を行うことで、前記画像特徴色を演算する手段であり、前記カラーパッチ生成手段は、解像度を下げた前記画像情報をカラーパッチ情報とする手段であることを特徴とするプルーフ生成装置である。
【００１２】
第２の発明の作用によれば、一つの前記画像情報を前記画像情報のサイズより小さい複数の領域に分割し、各々前記領域に含まれるすべての画素値の平均値を演算することで、前記画像情報を圧縮したときの色情報をカラーパッチとして使用することができる。また、第３の発明のように、前記カラーパッチを前記画像情報内の絵柄位置に対応したカラーパッチ情報とすることで、出力されたカラーパッチを目視で確認したときに、容易に、前記画像情報とカラーパッチとを対応付けることができる。
【００１３】
更に第４の発明は、入力された画像情報にカラーパッチ情報を付加することで、デジタルプルーフのデジタル情報であるデジタルプルーフ情報を生成するプルーフ生成方法であって、前記画像情報が入力される画像入力工程と、画像入力工程で入力された前記画像情報の特徴となる色である画像特徴色を演算する特徴色演算工程と、前記特徴色演算工程で演算した前記画像特徴色に基づいて前記カラーパッチ情報を生成するカラーパッチ生成工程と、前記画像情報と前記カラーパッチ情報を合成することで前記デジタルプルーフ情報を生成するデジタルプルーフ情報生成工程とからなるプルーフ生成方法である。
【００１４】
更に第５の発明は、第４の発明において、前記特徴色演算工程は、一つの前記画像情報を前記画像情報のサイズより小さい複数の領域に分割し、分割した各々の前記領域について、前記領域に含まれるすべての画素値の平均値を演算することで、各々の前記領域の前記画像特徴色を演算する工程で、前記カラーパッチ生成工程は、各々の前記領域の前記画像特徴色を前記カラーパッチ情報とする工程である。
【００１５】
更に第６の発明は、第５の発明において、前記カラーパッチ生成工程で生成する前記カラーパッチ情報は、前記画像情報内における前記領域の位置に対応して、前記領域の前記画像特徴色を並べたカラーパッチ情報であることを特徴とするプルーフ生成方法である。
【００１６】
更に第７の発明は、第４の発明において、前記特徴色演算工程は、前記画像情報の解像度を下げる解像度変換処理を行うことで、前記画像特徴色を演算する工程で、前記カラーパッチ生成工程は、解像度を下げた前記画像情報をカラーパッチ情報とする工程であることを特徴とするプルーフ生成方法である。
【００１７】
更に第８の発明は、第１の発明から第３の発明のいずれかに記載のプルーフ生成装置として、コンピュータを機能させるためのプログラムである。第８の発明に記載のプログラムをパーソナルコンピュータやサーバ等にインストールすることで、パーソナルコンピュータやサーバ等を上述したプルーフ生成装置として使用することができる。
【００１８】
更に第９の発明は、第２または第３の発明に記載のカラーパッチ情報をデジタル出力することで生成されるカラーパッチである。
【００１９】
更に第１０の発明は、第９の発明に記載のカラーパッチが付加されていることを特徴とするデジタルプルーフである。
【発明の効果】
【００２０】
上述した本発明によれば、デジタルプルーフの色調を確認する際に使用されるカラーパッチは、デジタルプルーフの絵柄に基づいたカラーパッチとなり、デジタルプルーフの色調を高精度で検証できるプルーフ生成装置およびプルーフ生成プログラムを提供できる。
【発明を実施するための最良の形態】
【００２１】
＜＜＜実施の形態１＞＞＞
（デジタルプルーフ生成装置）
ここから本発明に係わるプルーフ生成装置について、図を参照しながら詳細に説明する。図１は、本発明のプルーフ生成装置を適用したデジタルプルーフシステムの構成図である。図１に示したように、本発明のプルーフ生成装置を適用したデジタルプルーフシステムは、テキスト情報や画像情報などをレイアウトしたフルデジタル入稿データ（以下、入稿データと略す）を作成するＤＴＰ２０（DeskＴop Publishing）と、本発明のプルーフ生成装置としての機能を有し、デジタルプルーフのデジタル情報であるプルーフデータを生成し、出力先に合わせてプルーフデータのカラーマッチングを行うワークフローＲＩＰ１０（Raster Image Processor）と、ワークフローＲＩＰ１０から送信されるカラーマッチング後のプルーフデータを受信するプリンターサーバ３０と、カラーマッチング後のプルーフデータを出力するデジタルデータ出力装置４０（ここでは、レーザプリンター等のＤＣＰプリンター、DCP：Digital Color Printer）から構成され、ＤＴＰ２０、ワークフローＲＩＰ１０およびプリンターサーバ３０はネットワーク５０を介して接続されている。本実施の形態においてネットワーク５０はＬＡＮ（Local Area Network）としているが、ネットワーク５０はインターネットでもよく、公衆電話網や携帯電話網などの複数の通信網を組み合わせたネットワークでもよい。
【００２２】
ＤＴＰ２０とは、イラストや画像を作成したり文字入力を行うことで、印刷原稿を作成するコンピュータで、印刷原稿のデジタル情報として、ポストスクリプト（PostScript）等のページ記述言語で記述された入稿データを出力する。出力された入稿データは、デジタルプルーフを出力する送信先を示すアドレスデータ（ここでは、プリンターサーバ３０を特定するネットワーク５０上のアドレス）と伴に、ネットワーク５０を経由して、ＤＴＰ２０からワークフローＲＩＰ１０に伝送される。
【００２３】
図２は、本発明のプルーフ生成プログラムがインストールされ、プルーフ生成装置として機能するワークフローＲＩＰ１０の機能ブロック図である。ワークフローＲＩＰ１０とは、ＣＴＰ（Computer To Plate）またはＤＣＰプリンター等の処理の効率化や安定化を目的として導入されたプロセッサーで、ページ記述言語で記述された入稿データをラスターデータに変換するラスタライズ部１１、ラスターデータからカラーパッチを生成し、ラスターデータと生成したカラーパッチとを合成することでプルーフデータを生成するプルーフデータ生成部１２と、プルーフデータの出力先に合わせてプルーフデータの色補正するカラーマッチング部１３と、カラーマッチング後のプルーフデータを送信するデータ送信部１４とから構成されている。
【００２４】
本実施の形態においては、ワークフローＲＩＰ１０が有するラスタライズ部１１とは、ページ記述言語で記述された入稿データを４色（ここでは、ＣＭＹＫ）に色分解し、色分解した４色のラスターデータを作成する。なお、本実施の形態で生成されるラスターデータは、８ｂｉｔ−Ｔｉｆｆデータ（例えば、スクリーン線数）とし、生成したラスターデータは、ワークフローＲＩＰ１０に備えられた図外の情報記憶装置（例えば、ハードディスク）に記憶される。
【００２５】
ワークフローＲＩＰ１０に備えられ、本発明のプルーフ生成装置に該当するプルーフデータ生成部１２とは、ラスタライズ部１１で変換されたラスターデータから特徴となる画像特徴色を演算し、画像特徴色を基にカラーパッチを生成した後、ラスターデータと生成したカラーパッチとを合成することでプルーフデータを生成する。
【００２６】
図２に示したように、プルーフデータ生成部１２は、ラスターデータ入力手段１２ａと、入力されたラスターデータから画像特徴色を演算する画像特徴色演算手段１２ｂと、画像特徴色演算手段１２ｂで演算された画像特徴色からカラーパッチを生成するカラーパッチ生成手段１２ｃと、デジタルデータ出力装置４０で出力するプルーフデータを生成するプルーフデータ生成手段１２ｄとを備えている。なお、これらの機能はワークフローＲＩＰ１０にインストールされたプログラムで実現している。
【００２７】
本実施の形態において、ラスターデータ入力手段１２ａは、前述の情報記憶装置に記憶されたラスターデータを読み取る機能で実現される。また、ラスターデータが情報記憶媒体（例えば、ＤＶＤ:Digital Video Disc）に記憶された場合は、ラスターデータ入力手段は情報記憶媒体に記憶されたデータを読み取る機能で実現され、ラスターデータが、ネットワーク５０を経由して送信される場合は、ラスターデータ入力手段１２ａはネットワーク５０通信装置で実現される。
【００２８】
画像特徴色演算手段１２ｂは、ラスターデータ入力手段１２ａから入力されたラスターデータから特徴となる画像特徴色を演算する手段である。ここから、図を参照しながら、画像特徴色の演算方法について説明する。図３は、入稿データで示される印刷原稿を説明する図である。
【００２９】
画像特徴色を演算するために、画像特徴色演算手段１２ｂは、図３（ａ）に示した印刷原稿６０を、図３（ｂ）に示したように小領域６１に分割（ここでは、５マス×５マスの計２５マス）する。そして、４色のラスターデータから、各々の小領域６１に含まれるすべての画素値についてＣＭＹＫ色空間上の座標値を求め、座標値の平均値を演算し、座標値の平均値を小領域の画像特徴色とする。なお、図３のラスターデータに対して、最近傍法や線形補間法を用いて、解像度を落とす処理を行うことで画像特徴色を求めることもできる。
【００３０】
図４は、出力されるカラーパッチを説明する図である。カラーパッチ生成手段１２ｃは、デジタルプルーフとともに出力するカラーパッチを生成する手段で、本実施の形態においては、図３（ａ）の印刷原稿内における小領域の位置に対応して、演算された小領域の画像特徴色を並べたデータをカラーパッチ７０としている。なお、カラーパッチ７０の４色のラスターデータは、画像特徴色のＣＭＹＫ色空間上の座標値から求めることができる。
【００３１】
なお、本実施の形態においては、画像特徴色演算手段で演算された画像特徴色すべてをカラーパッチとしているが、小領域の数が多い場合（例えば、数百個の小領域に分割された場合）は、すべての画像特徴色をＣＭＹＫ色空間上に展開し、ＣＭＹＫ色空間上の事前に定められた空間内に収まる画像特徴色に関しては、空間内に収まるすべての画像特徴色の平均値を演算することで、カラーパッチの数を減らすこともできる。また、ラスターデータの解像度を落とす処理を行うことで画像特徴色を求めた場合は、解像度を落としたラスターデータそのものがカラーパッチのラスターデータとなる。
【００３２】
プルーフデータ生成部１２に備えられたプルーフデータ生成手段１２ｄは、ラスタライズ部で変換された４色のラスターデータとカラーパッチ生成手段１２ｃで生成されたカラーパッチのラスターデータを合成することで、デジタルデータ出力装置４０で出力されるプルーフデータを生成する。
【００３３】
ワークフローＲＩＰ１０に備えられたカラーマッチング部１３とは、非特許文献１の概念に基づいた技術を用いて、カラーマッチングを行う。ワークフローＲＩＰ１０はデジタルデータ出力装置のデバイスプロファイルを内部に記憶し、アドレスデータで特定されるデジタルデータ出力装置４０のデバイスプロファイル（ここでは、ＤＣＰプリンターのデバイスプロファイル）を参照し、プルーフデータ生成部１２から出力されるプルーフデータの色補正を行う。
【００３４】
ワークフローＲＩＰ１０に備えられたデータ出力部１４は、カラーマッチング後のプルーフデータを、ネットワーク５０を介して、ＤＴＰ２０から送信されたアドレスデータで特定されるサーバもしくはデジタルデータ出力装置に送信する。図１においては、ワークフローＲＩＰ１０はプルーフデータをプリンターサーバ３０に送信し、プリンターサーバ３０は受信したプルーフデータをデジタルデータ出力装置４０に伝送し、デジタルデータ出力装置４０にてデジタルプルーフが出力される。図５は、デジタルデータ出力装置４０で出力されるデジタルプルーフの一例である。図５に示したように、デジタルプルーフ８０には、図３の印刷原稿６０の絵柄に加えて、カラーパッチ生成手段１２ｃで生成されたカラーパッチ８１が付加されている。
【００３５】
なお、本実施の形態においては、ネットワーク５０をＬＡＮとしているが、ネットワーク５０をインターネットとする場合は、インターネット上を流れるデータは暗号化されていることが望ましい。
【００３６】
（デジタルプルーフ生成方法）
ここから、本発明に係わるデジタルプルーフ生成方法について、図を参照しながら詳細に説明する。図２に示したワークフローＲＩＰ１０においては、デジタルプルーフ生成方法で示される機能はデジタルプルーフ生成部１２で実現されている。
【００３７】
図６は、デジタルプルーフ生成方法の手順を示したフロー図である。デジタルプルーフ生成方法の最初の工程は、デジタルプルーフ情報の基の情報になる画像情報が入力される画像情報入力工程（Ｓ１０）である。図２のワークフローＲＩＰ１０に備えられたデジタルプルーフ生成部１２が、この画像情報入力工程の機能を果たす。なお、図２のラスタライズ部１１が有する機能のように、画像情報入力工程は画像を加工する工程を含んでいても構わない。
【００３８】
次の工程は、画像入力工程で入力された画像情報の特徴となる色である画像特徴色を演算する特徴色演算工程（Ｓ２０）である。図２のデジタルプルーフ生成部１２に備えられた画像特徴色演算手段１２ｂが、この特徴色演算工程の機能を果たす。なお、画像特徴色を演算する方法は、上述のデジタルプルーフ生成装置で説明した方法でもよく、他の方法で画像特徴色を演算しても構わない。
【００３９】
次の工程は、特徴色演算工程で演算した画像特徴色に基づいてカラーパッチ情報を生成するカラーパッチ生成工程である。図２のデジタルプルーフ生成部１２に備えられたカラーパッチ生成手段１２ｃが、このカラーパッチ生成工程の機能を果たす。なお、カラーパッチを生成する方法は、上述のデジタルプルーフ生成装置で説明した方法でもよく、他の方法でカラーパッチを生成しても構わない。
【００４０】
次の工程は、画像情報とカラーパッチ情報を合成することでデジタルプルーフ情報を生成するデジタルプルーフ情報生成工程である。図２のデジタルプルーフ生成部１２に備えられたプルーフデータ生成手段１２ｄが、このデジタルプルーフ情報生成工程の機能を果たす。なお、カラーパッチ生成工程で生成したカラーパッチが、デジタルプルーフ上で配置される位置または個数について、本発明は何ら限定するものではない。加えて、デジタルプルーフ情報生成工程は、カラーマッチング等のカラーパッチを付加する以外の機能を備えていても構わない。
【００４１】
＜＜＜実施の形態の２＞＞＞
実施の形態の２は、本発明に係わるプルーフ生成装置をワークフローＲＩＰと切り離した実施の形態である。図７は、実施の形態２のデジタルプルーフ作成システムを説明する図である。図７に示したように、実施の形態２のデジタルプルーフ作成システムは、ＤＴＰ１２０と、ワークフローＲＩＰ１１０と、プルーフデータ生成サーバ１３０と、デジタルデータ出力装置１４０とから構成されている。図７においてＤＴＰ１２０およびデジタルデータ出力装置１４０は、図１のＤＴＰ２０およびデジタルデータ出力装置４０と同じ機能を有している。
【００４２】
図７のワークフローＲＩＰ１１０は、図１のワークフローＲＩＰ１０に備えられたラスタライズ部１１の機能のみを有し、プルーフデータ生成サーバ１３０は、図２に示したプルーフデータ生成部１２の機能（本発明係わるプルーフ生成装置の機能）と、カラーマッチング部１３の機能を有している。
【００４３】
ＤＴＰ１２０から送信される入稿データ（ポストスクリプトで記述されたデータ）は、ワークフローＲＩＰ１１０でラスタライズされ、ラスターデータに変換される。ラスターデータは、ワークフローＲＩＰ１１０からプルーフ生成サーバ１３０に送信され、画像特徴色に基づいてカラーパッチが生成された後、ラスターデータとカラーパッチとを合成することで、プルーフデータが作成される。そして、作成されたプルーフデータはプルー生成サーバ１３０からデジタルデータ出力装置１４０に送信され、デジタルデータ出力装置にてデジタルプルーフが出力される。
【図面の簡単な説明】
【００４４】
【図１】実施の形態１のデジタルプルーフシステムを説明する図。
【図２】ワークフローＲＩＰの機能ブロック図。
【図３】印刷原稿の一例を示した図。
【図４】カラーパッチの一例を示した図。
【図５】デジタルプルーフの一例を示した図。
【図６】デジタルプルーフ生成方法の手順を示したフロー図。
【図７】実施の形態２のデジタルプルーフシステムを説明する図。
【符号の説明】
【００４５】
１０    ワークフローＲＩＰ
１１    ラスタライズ部
１２    プルーフデータ生成部
１２ａ  ラスターデータ入力手段
１２ｂ  画像特徴色演算手段
１２ｃ  カラーパッチ生成手段
１２ｄ  プルーフデータ生成手段
１３    カラーマッチング部
１４    データ出力部
２０    ＤＴＰ
３０    プリンターサーバ
４０    デジタルデータ出力装置
５０    ネットワーク
【図１】
2006129322.tif 000003
【図２】
2006129322.tif 000004
【図３】
2006129322.tif 000005
【図４】
2006129322.tif 000006
【図５】
2006129322.tif 000007
【図６】
2006129322.tif 000008
【図７】
2006129322.tif 000009